(57)【要約】【課題】録画した番組を再生する際に、視聴済み部分と未視聴部分の境目を容易に見つけることができるビデオ録画装置を提供する。【解決手段】録画時にテレビジョン受信装置専用リモコン７が出力する電源オン、オフ等のテレビジョン受信装置５に対する操作信号を操作信号受信部１７で受信し、記録媒体処理部１３は、テレビジョン受信装置５に対する操作の時間的位置を記録媒体１４上で示すマークを記録する。  【選択図】図１
2007172791.tif 000002
【特許請求の範囲】
【請求項１】
番組を記録媒体に記録するビデオ録画装置であって、
本装置に接続されたテレビジョン受信装置に対して外部操作手段から送信される操作信号を受信する操作信号受信手段と、
受信された前記テレビジョン受信装置に対する前記操作信号に基づいて、前記テレビジョン受信装置の電源オン、オフ操作が行われた時間を示すマークと、本装置で記録中の番組と同じチャンネルと異なるチャンネルとの間でチャンネル変更操作が行われた時間を示すマークと、前記テレビジョン受信装置におけるアンテナ入力と本装置からのビデオ信号入力とを切り替える操作が行われた時間を示すマークとを前記記録媒体に記録するマーク記録手段と
を備えることを特徴とするビデオ録画装置。
【発明の詳細な説明】
【技術分野】
【０００１】
本発明は、番組を録画するビデオ録画装置に関する。
【背景技術】
【０００２】
従来、多くのビデオ録画装置において、記録媒体上に記録した放送番組の特定の時間を示す点（以降、マークと呼ぶ）を記録できるようになっており、このマークが示す時間から再生を行う機能が備えられている。このマークとしては、ＶＨＳであればＶＩＳＳ信号があり、ＤＶＤのＶＲフォーマットでの記録であれば、チャプタマーク等がある。
【０００３】
このようなビデオ録画装置においては、複数の番組を１つの記録媒体に録画した場合に番組の境界にマークを記録したり、ユーザが録画した番組の目的の位置から再生するための目安としてマークを記録したりすることで、目的のシーンの先頭位置に容易にたどり着けるようにしている。
【０００４】
一方、大多数のテレビジョン受信装置において、電源オン、オフや、チャンネルの切り替え等は、リモコンにより操作できる。そして、テレビジョン受信装置の専用リモコンによりビデオ録画装置が指示を受け特定の動作をする技術として、特許文献１に開示されたような、テレビジョン受信装置とビデオ録画装置のチャンネルを同期させて動作させるものがある。
【特許文献１】特開２００３−２３４９８８公報
【発明の開示】
【発明が解決しようとする課題】
【０００５】
ところで、番組の録画と同時に、録画中の番組の一部を視聴した場合、視聴済み部分と未視聴の部分が生じる。従来、マークを記録することができるビデオ録画装置でも、視聴済み部分と未視聴の部分の境目に、マークを簡単に記録することはできなかった。また、特許文献１に開示されたビデオ録画装置でも、テレビジョン受信装置の専用リモコンの操作によってマークを記録することはできない。
【０００６】
したがって、従来のビデオ録画装置では、ユーザが後で未視聴の部分のみを視聴しようとしても、視聴済み部分と未視聴の部分の境目を容易に見つけることができないという問題があった。
【０００７】
本発明は上記に鑑みてなされたもので、録画した番組を再生する際に、視聴済み部分と未視聴部分の境目を容易に見つけることができるビデオ録画装置を提供することを目的とする。
【課題を解決するための手段】
【０００８】
本発明のビデオ録画装置は、番組を記録媒体に記録するビデオ録画装置であって、本装置に接続されたテレビジョン受信装置に対して外部操作手段から送信される操作信号を受信する操作信号受信手段と、受信された前記テレビジョン受信装置に対する前記操作信号に基づいて、前記テレビジョン受信装置の電源オン、オフ操作が行われた時間を示すマークと、本装置で記録中の番組と同じチャンネルと異なるチャンネルとの間でチャンネル変更操作が行われた時間を示すマークと、前記テレビジョン受信装置におけるアンテナ入力と本装置からのビデオ信号入力とを切り替える操作が行われた時間を示すマークとを前記記録媒体に記録するマーク記録手段とを備えることを特徴とする。
【発明の効果】
【０００９】
本発明のビデオ録画装置によれば、本装置に接続されたテレビジョン受信装置に対して送信される操作信号を受信し、テレビジョン受信装置の電源オン、オフ操作が行われた時間を示すマークと、本装置で記録中の番組と同じチャンネルと異なるチャンネルとの間でチャンネル変更操作が行われた時間を示すマークと、テレビジョン受信装置におけるアンテナ入力と本装置からのビデオ信号入力とを切り替える操作が行われた時間を示すマークとを記録媒体に記録するので、録画した番組を再生する際に、視聴済み部分と未視聴部分の境目を容易に見つけることができる。
【発明を実施するための最良の形態】
【００１０】
以下、本発明のビデオ録画装置を実施するための最良の形態について、図面を参照して説明する。なお、以下の説明において、番組とは１回の録画の単位を示すものとする。
【００１１】
図１は本発明の一実施の形態に係るビデオ録画装置の構成を示すブロック図である。図１に示すように本実施の形態のビデオ録画装置１は、放送電波を受信するアンテナ１０と、アンテナ１０で受信した受信信号をビデオ信号に変換する放送受信部１１と、放送受信部１１からのビデオ信号を記録媒体に対応したフォーマットの記録信号に変換する記録処理部１２と、記録処理部１２からの記録信号をビデオテープやＤＶＤなどの記録媒体１４に記録し、再生時には記録媒体１４から記録信号を読み出す記録媒体処理部１３と、記録媒体１４から読み出された記録信号をビデオ信号に変換する再生処理部１５と、放送受信部１１からのビデオ信号と再生処理部１５からのビデオ信号とを切り替えて出力する切り替え部１６と、ビデオ録画装置専用リモコン３およびテレビジョン受信装置専用リモコン７からの操作信号を受信する操作信号受信部１７と、装置に設けられた各部を制御する制御部１８とを備える。
【００１２】
ビデオ録画装置１は、ケーブル４を介してテレビジョン受信装置５に接続され、ビデオ録画装置１の切り替え部１６から出力されたビデオ信号は、ケーブル４を介してテレビジョン受信装置５に入力される。
【００１３】
ビデオ録画装置専用リモコン３はビデオ録画装置１の操作に特化した入力手段であり、テレビジョン受信装置専用リモコン７はテレビジョン受信装置５の操作に特化した入力手段である。多くの場合、これらのビデオ録画装置専用リモコン３、テレビジョン受信装置専用リモコン７は、ユーザがビデオ録画装置１、テレビジョン受信装置５を購入した際に付属している。
【００１４】
テレビジョン受信装置専用リモコン７は、テレビジョン受信装置５の電源オン、オフ操作を行うボタンと、テレビジョン受信装置５のアンテナから入力した放送局の選局チャンネルを切り替える操作を行うボタンと、ビデオ録画装置１からのビデオ信号入力とテレビジョン受信装置５のアンテナ入力とを切り替える操作を行うボタンとを備える。
【００１５】
ビデオ録画装置専用リモコン３とテレビジョン受信装置専用リモコン７とは同じ方式のものであればよいが、ここではどちらも赤外線リモコンであるとする。
【００１６】
次に、本実施の形態のビデオ録画装置１の動作を説明する。
【００１７】
番組の録画中に、同時にその番組を視聴済みであるか、あるいは未視聴であるかの境目は、録画中に番組を視聴しているテレビジョン受信装置５用のテレビジョン受信装置専用リモコン７の操作をした時と同時である場合がある。
【００１８】
例えば、ビデオ録画装置１で録画中にそれと同時にテレビジョン受信装置５で同じ番組を視聴していた場合、テレビジョン受信装置専用リモコン７上のテレビジョン受信装置５の電源を操作するボタンが押された場合には、そこで視聴を取り止めたか、あるいは開始したと判断できる。
【００１９】
本発明では、番組を録画中のビデオ録画装置１は、テレビジョン受信装置専用リモコン７がテレビジョン受信装置５に対して出力した指示を受け取り、その指示がテレビジョン受信装置５の電源操作の指示であった場合には、録画中の番組の現在時間位置にマークを記録する。
【００２０】
ユーザによりビデオ録画装置専用リモコン３に録画指示と録画するチャンネルが入力されると、操作信号が送信され、操作信号受信部１７は、この操作信号を受信する。操作信号受信部１７は、受信した操作信号を制御部１８に出力する。
【００２１】
そして、制御部１８は、放送受信部１１に制御信号を出力し、録画するチャンネルの受信信号をビデオ信号に変換させる。
【００２２】
次いで、制御部１８は、記録処理部１２に変換指示を出力し、放送受信部１１からのビデオ信号を記録媒体に対応したフォーマットの記録信号に変換させる。例えば、記録媒体１４としてＤＶＤを用いる場合には、ビデオ信号はＭＰＥＧストリームに変換される。
【００２３】
そして、制御部１８は、記録媒体処理部１３に記録指示を出力し、記録信号を記録媒体１４に記録させる。
【００２４】
この記録中、テレビジョン受信装置専用リモコン７の電源ボタンが押下されると、操作信号受信部１７は、テレビジョン受信装置専用リモコン７から受信した操作信号を制御部１８に出力する。そして、制御部１８は、記録媒体処理部１３にマーク記録指示を出力し、記録媒体１４に録画中の番組の現在時間位置にマークを記録させる。
【００２５】
図２は、録画中に同じ番組を視聴する場合に電源をオン、オフする操作が行われたときに記録されるマークを示す図である。電源がオンされたときにマークａが記録され、電源がオフされたときにマークｂが記録される。この場合、マークａとマークｂとの間が視聴済み部分となる。
【００２６】
再生時には、制御部１８は、操作信号受信部１７からの操作信号を受けて記録媒体処理部１３に再生指示を出力し、記録媒体１４から記録信号を読み出させる。マークが示す時間から再生を行うこともできる。例えば、マークｂが示す時間から再生を行うようにビデオ録画装置専用リモコン３から操作信号が送信されると、操作信号受信部１７は、この操作信号を受信し、これを制御部１８に出力する。そして、制御部１８は、記録媒体処理部１３にマークｂが示す時間から再生を行うように指示を出力し、マークｂが示す時間からの記録信号を記録媒体１４から読み出させる。
【００２７】
次いで、制御部１８は、再生処理部１５に変換指示を出力し、記録媒体１４から読み出された記録信号をビデオ信号に変換させる。そして、制御部１８は、切り替え部１６に指示を出力して、再生処理部１５からのビデオ信号をテレビジョン受信装置５に出力させる。
【００２８】
上述では、テレビジョン受信装置５の電源オン、オフの操作によって視聴済み部分と未視聴部分が生じる場合について説明したが、番組を録画中に、録画している番組と同じ番組を視聴している状態から、別の番組を視聴する状態に移行した場合も、番組の途中で視聴済み部分と未視聴部分とが生じることがある。
【００２９】
これは、テレビジョン受信装置専用リモコン７を用いてテレビジョン受信装置５のチャンネルを変えた場合と、テレビジョン受信装置５においてアンテナ入力とビデオ信号入力との切り替えを行った場合がある。
【００３０】
まず、テレビジョン受信装置５のチャンネルを変更する場合について説明する。録画中の番組と違う番組を視聴しているときに、テレビジョン受信装置専用リモコン７に対して録画中の番組と同じチャンネルへ切り替えるように操作が行われると、操作信号受信部１７は、テレビジョン受信装置専用リモコン７からの操作信号を受信し、これを制御部１８に出力する。
【００３１】
そして、制御部１８は、記録媒体処理部１３にマーク記録指示を出力し、記録媒体１４に録画中の番組の現在時間位置にマークを記録させる。録画中の番組と同じチャンネルから違うチャンネルへ切り替えるように操作が行われたときも同様に、マークが記録される。
【００３２】
図３は、録画中に視聴するチャンネルを変更する操作が行われたときに記録されるマークを示す図である。録画中の番組と違うチャンネルの番組を視聴している状態から、録画中の番組と同じチャンネルに変更されたときにマークｃが記録され、録画中の番組と同じチャンネルの番組を視聴している状態から、録画中の番組と違うチャンネルに変更されたときにマークｄが記録される。この場合、マークｃとマークｄとの間が視聴済み部分となる。
【００３３】
次に、テレビジョン受信装置５において、アンテナ入力とビデオ信号入力との切り替えを行う場合について説明する。
【００３４】
録画中においては、切り替え部１６は、録画中の番組のビデオ信号を放送受信部１１からテレビジョン受信装置５に出力するように設定されている。
【００３５】
録画中にテレビジョン受信装置５がアンテナ入力の状態に設定されているときは、テレビジョン受信装置５にはテレビジョン受信装置専用リモコン７で選択されたチャンネルの番組が表示される。この状態から、テレビジョン受信装置専用リモコン７に対して、アンテナ入力とビデオ信号入力とを切り替えるように操作が行われると、ビデオ録画装置１からケーブル４を介してテレビジョン受信装置５に入力された録画中の番組のビデオ信号により、テレビジョン受信装置５に録画中の番組が表示される。このため、アンテナ入力とビデオ信号入力との切り替えを行うと、未視聴部分が生じることがある。
【００３６】
そこで、アンテナ入力から、ビデオ信号入力への設定の切り替えを行うように、テレビジョン受信装置専用リモコン７に対して操作が行われると、操作信号受信部１７は、テレビジョン受信装置専用リモコン７からの操作信号を受信し、これを制御部１８に出力する。
【００３７】
そして、制御部１８は、記録媒体処理部１３にマーク記録指示を出力し、記録媒体１４に録画中の番組の現在時間位置にマークを記録させる。ビデオ信号入力から、アンテナ入力への設定の切り替えを行うように操作が行われたときも同様に、マークが記録される。
【００３８】
このように本実施の形態によれば、ビデオ録画装置１に接続されたテレビジョン受信装置５に対して送信される操作信号を受信し、録画中に電源オン、オフ操作やチャンネル変更操作やアンテナ入力からビデオ信号入力への切り替え操作が行われたときに、録画中の番組の現在時間位置を記録媒体上で示すマークを記録するので、録画中に一部を視聴した番組の未視聴の部分を探す場合に、マークの位置が視聴済みと未視聴の境目となるため、容易に未視聴の部分を見つけることができる。
【図面の簡単な説明】
【００３９】
【図１】本発明の一実施の形態に係るビデオ録画装置の構成を示すブロック図である。
【図２】電源オン、オフ操作が行われたときに記録されるマークを示す図である。
【図３】チャンネルを変更する操作が行われたときに記録されるマークを示す図である。
【符号の説明】
【００４０】
１    ビデオ録画装置
３    ビデオ録画装置専用リモコン
４    ケーブル
５    テレビジョン受信装置
７    テレビジョン受信装置専用リモコン
１０    アンテナ
１１    放送受信部
１２    記録処理部
１３    記録媒体処理部
１４    記録媒体
１５    再生処理部
１６    切り替え部
１７    操作信号受信部
１８    制御部
【図１】
2007172791.tif 000003
【図２】
2007172791.tif 000004
【図３】
2007172791.tif 000005